(57)【要約】【課題】一つのカバー部材をチャンネル部材から外すだけで、チャンネル部材の内部を全長にわたって容易に洗浄することができる回収装置を提供する。【解決手段】コンベヤが装着されるチャンネル部材と、上記チャンネル部材の長さ方向へ複数個を並べて配置され、上記チャンネル部材の開口部を覆うように上記チャンネル部材に対し幅方向の両端部を係合しうるカバー部材とが具えられ、上記カバー部材の１つが上記チャンネル部材から取り外されて、残りの上記カバー部材が上記チャンネル部材に対し係合部位を長さ方向へスライドしうるように構成された。【選択図】　　　　図１
2004065925.tif 000002
【特許請求の範囲】
【請求項１】
コンベヤが装着されるチャンネル部材と、上記チャンネル部材の長さ方向へ複数個を並べて配置され、上記チャンネル部材の開口部を覆うように上記チャンネル部材に対し幅方向の両端部を係合しうるカバー部材とが具えられ、上記カバー部材の１つが上記チャンネル部材から取り外されて、残りの上記カバー部材が上記チャンネル部材に対し係合部位を長さ方向へスライドしうるように構成されたことを特徴とする回収装置。
【請求項２】
上記チャンネル部材は開口部が側方に形成されるように取付部材に固定され、上記カバー部材には上記チャンネル部材の側方開口部を覆う側面部と下部を覆う底面部とが設けられ、上記カバー部材は、上記底面部の幅方向端部と、上記側面部の幅方向端部とが上記チャンネル部材に対し係合しうるように形成されていることを特徴とする請求項１記載の回収装置。
【請求項３】
上記チャンネル部材と上記カバー部材とが係合する部位には、係合手段として上記カバー部材に幅方向内向きのフック部が設けられるとともに、上記チャンネル部材に上記フック部が係合して上記カバー部材を支持しうるフック受部が幅方向外向きに設けられていることを特徴とする請求項２記載の回収装置。
【請求項４】
上記フック受部は断面略円形状に形成されていると共に、上記フック部は、上記フック受部を収納しうるように断面略円形状の内側面部を有していることを特徴とする請求項３記載の回収装置。
【発明の詳細な説明】
【０００１】
【発明の属する技術分野】
本発明は回収装置に係り、特に、遊技機が設置されるホールに設備される、タバコの吸殻等の回収装置に関する。
【０００２】
【従来の技術】
例えば、パチンコ店などでは、タバコを吸いながらパチンコやスロットマシン等の遊技機で遊ぶ客が多い。しかしながら、タバコの煙や臭いを嫌悪する客も多く、この人々に嫌われると店の売上げが減ってしまう。そこで、タバコの吸殻等を回収して、店の内部環境を快適にするための回収装置を、例えばパチンコ台やスロットマシンなどの遊技機の傍に設置する店が増えている。
【０００３】
このような回収装置として、遊技機の前にある台の下側に取り付けるタバコの吸殻等回収装置が存在する。この装置は、台に設けた灰皿から落下する吸殻等を載せて運び去るものであって、内部にベルト等のコンベアを収容するチャンネル部材と、そのチャンネル部材に対し着脱自在なカバー部材とを具えている。
【０００４】
そして、チャンネル部材とカバー部材は、複数台の遊技機の前に一連に設けるので、全長が相当な長さになる。そのため、複数本を横方向に並べて連続させる構造になっている。
【０００５】
ところで、上記回収装置を長期間にわたって使用すると、チャンネル部材の内部にタバコの臭いやヤニが付着するので、定期的にチャンネル部材の内部を洗浄して衛生的にする必要がある。そして、チャンネル部材の内部を洗浄するにはカバー部材を外して、チャンネル部材の全長を開口する必要がある。
【０００６】
ところが、図７に示すように、従来の回収装置２２は、上記のように複数のカバー部材１７を横方向に並べて連続させた状態でチャンネル部材１６に組み付け、かつ、各カバー部材１７を適宜な間隔で押え止め部材１８により固定していたので、その押え止め部材１８を外してから、更にすべてのカバー部材１７を外す作業が極めて煩雑であった。
【０００７】
出願人は、上記のような煩雑な作業が不要で、洗浄の容易な回収装置に係る先行技術文献を知り得ていない。
【０００８】
【発明が解決しようとする課題】
本発明は、一つのカバー部材をチャンネル部材から外すだけで、チャンネル部材の内部を全長にわたって容易に洗浄することができる回収装置の提供を課題とする。
【０００９】
【課題を解決するための手段】
上記課題を解決するために、本発明の回収装置は、コンベヤが装着されるチャンネル部材と、上記チャンネル部材の長さ方向へ複数個を並べて配置され、上記チャンネル部材の開口部を覆うように上記チャンネル部材に対し幅方向の両端部を係合しうるカバー部材とが具えられ、上記カバー部材の１つが上記チャンネル部材から取り外されて、残りの上記カバー部材が上記チャンネル部材に対し係合部位を長さ方向へスライドしうるように構成されたことを特徴とするものである。
【００１０】
また、上記チャンネル部材は開口部が側方に形成されるように取付部材に固定され、上記カバー部材には上記チャンネル部材の側方開口部を覆う側面部と下部を覆う底面部とが設けられ、上記カバー部材は、上記底面部の幅方向端部と、上記側面部の幅方向端部とが上記チャンネル部材に対し係合しうるように形成されているものとすることができる。
【００１１】
また、上記チャンネル部材と上記カバー部材とが係合する部位には、係合手段として上記カバー部材に幅方向内向きのフック部が設けられるとともに、上記チャンネル部材に上記フック部が係合して上記カバー部材を支持しうるフック受部が幅方向外向きに設けられているものとすることができる。
【００１２】
また、上記フック受部は断面略円形状に形成されていると共に、上記フック部は、上記フック受部を収納しうるように断面略円形状の内側面部を有しているものとすることができる。
【００１３】
【発明の実施の形態】
以下、添付した図面を用いて本発明の実施の形態について説明する。まず、図１乃至図３に示した本実施の形態に係る回収装置１９は、コンベヤ６が装着されるチャンネル部材４と、上記チャンネル部材４の長さ方向へ複数個を並べて配置され、上記チャンネル部材４の開口部８を覆うように上記チャンネル部材４に対し幅方向の両端部を係合しうるカバー部材５とが具えられ、上記カバー部材５の１つが上記チャンネル部材４から取り外されて、残りの上記カバー部材５が上記チャンネル部材４に対し係合部位を長さ方向へスライドしうるように構成されている。
また、上記チャンネル部材４は開口部８が側方に形成されるように取付部材２に固定され、上記カバー部材５には上記チャンネル部材４の側方開口部８を覆う側面部２０と下部を覆う底面部２１とが設けられ、上記カバー部材５は、上記底面部２１の幅方向端部と、上記側面部２０の幅方向端部とが上記チャンネル部材４に対し係合しうるように形成されている。
また、上記チャンネル部材４と上記カバー部材５とが係合する部位には、係合手段として上記カバー部材５に幅方向内向きのフック部１２，１３が設けられるとともに、上記チャンネル部材４に上記フック部１２，１３が係合して上記カバー部材５を支持しうるフック受部１４，１５が幅方向外向きに設けられている。また、上記フック受部１４，１５は断面略円形状に形成されていると共に、上記フック部１２，１３は、上記フック受部１４，１５を収納しうるように断面略円形状の内側面部２４，２５を有している。
【００１４】
上記回収装置１９は、図１に示すように、玉箱などを置くためにパチンコ台やスロットマシンなどの遊技機１の前に設けられた取付部材２を形成する台２３の下面側に取付けられている。なお、この台２３の上面側には灰皿３が設置され、その灰皿３に入れた吸殻等は台２３の下に落下しうるようになっている。
【００１５】
上記回収装置１９は、上記台２３の下面側に取付けられるチャンネル部材４と、そのチャンネル部材４に組み付けられるカバー部材５とを具えている。
【００１６】
上記チャンネル部材４の１本の長さは４ｍ程度で、又、上記カバー部材５の１本の長さは２ｍ程度であり、図３に示すように、共に複数本を横方向に並べて連続させることにより使用している。上記チャンネル部材４は台２３の下面側にビス等で固着されている。なお、チャンネル部材４とカバー部材５はアルミ等の金属で成形されている。
【００１７】
上記チャンネル部材４は、吸殻等を運ぶためのベルト等コンベヤ６を収容する内部スペース７を有している。上記内部スペース７は側方、すなわち、遊技者の位置する前方に向って開口部８を設けている。
【００１８】
上記内部スペース７にはコンベヤ６の往路用のガイド板部９が設けられ、そのガイド板部９によりコンベヤ６の往路と復路が上下に仕切られている。なお、コンベヤ６の復路用のガイド板部１０は後述するカバー部材５における底面部２１の上面部に設けられている。
【００１９】
上記チャンネル部材４は、その天板部１１において上記の灰皿３の真下に吸殻等落下孔（図は省略）が形成されている。上記の灰皿３の底は開口して、その吸殻等落下孔と開通している。
【００２０】
上記カバー部材５は上記チャンネル部材４に対し、その開口部８を覆うように装着されている。
【００２１】
上記カバー部材５には、上記チャンネル部材４の側方開口部８と下部を覆う側面部２０と底面部２１とが設けられている。そして、上記側面部２０が上記チャンネル部材４の開口部８を覆っている。
【００２２】
上記カバー部材５は、上記底面部２１の幅方向端部と、上記側面部２０の幅方向端部、すなわち上端部とに、それぞれ、上記チャンネル部材４に対する係合手段としてフック部１２，１３が設けられている。
【００２３】
上記フック部１２，１３はカバー部材５の幅方向の内方を向くように形成されている。すなわち、後端部のフック部１２は前方へ向って、前端部のフック部１３は後方へ向って形成されている。なお、ここで前方とは遊技者が位置する側をいうものとする。
【００２４】
上記チャンネル部材４には、上記フック部１２，１３が係合して上記カバー部材５を支持しうるフック受部１４，１５が設けられている。このフック受部１４，１５は幅方向の外向きに形成されている。
【００２５】
上記フック部１２，１３は上記フック受部１４，１５に対し着脱しうるように係合している。すなわち、上記カバー部材５は上記チャンネル部材４から取り外すことができる。
【００２６】
また、上記フック部１２，１３は上記フック受部１４，１５に係合した状態で、上記チャンネル部材４に対し、その長さ方向へ（図１の図面に直角な方向）にスライドしうるようになっている。
【００２７】
上記カバー部材５を上記チャンネル部材４に対し円滑にスライドしうるようにするため、上記フック受部１４，１５は、図２に示すように、断面略円形状に形成されている。また、上記フック部１２，１３は、上記フック受部１４，１５を収納しうるように断面略円形状の内側面部２４，２５を有している。
【００２８】
また、上記カバー部材５の上記フック部１２は、上記チャンネル部材４の上記フック受部１４に対し、スライドする方向に直角な方向へ回転しうるようになっている。
【００２９】
なお、上記チャンネル部材４に設けられた上記フック受部１４，１５のうち、後端のフック受部１４の近傍には下向き傾斜面３８が形成されている。また、上記カバー部材５に設けられた上記フック部１２，１３のうち、後端のフック部１２の近傍には上向き傾斜面３９が形成されている。そして、上記フック部１２が上記フック受部１４に係合した状態で、図１に示すように、上記下向き傾斜面３８に上記上向き傾斜面３９が接触している。
【００３０】
したがって、遊技者がイタズラしてカバー部材５を下方から上方へ押しても、カバー部材５の後端部は上方へ変位しにくいので、上記フック部１２は上記フック受部１４から安易に外れることはない。そして、これを外すには、カバー部材５の前端のフック部１３をチャンネル部材４の前端のフック受部１５から外したのち、上記のように上記フック受部１４を回転中心として上記カバー部材５を後方へ回転させてから外す必要がある。
【００３１】
なお、上記回収装置１９の長さ方向の一端には、上記コンベヤ６を駆動するモータ（図は省略）等が配され、上記回収装置１９の長さ方向の他端には、吸殻等回収ボックス（図は省略）が設置されている。
【００３２】
すなわち、上記灰皿３に入れた吸殻等は、その灰皿３から上記チャンネル部材４の中に落ちて、上記コンベヤ６の上に載り、そのコンベヤ６により上記吸殻等回収ボックスへ送られることになる。
【００３３】
【作用】
ところで、長期間使用すると、上記チャンネル部材４の内部にタバコの臭いやヤニが付着するので定期的に洗浄する必要がある。
【００３４】
そして、上記チャンネル部材４の内部を洗浄するには、上記チャンネル部材４から上記カバー部材５を外して、上記チャンネル部材４の開口部８を開く必要がある。
【００３５】
図７に示した従来の回収装置２２では、上記のように、全長を洗浄するには、全ての押え止め部材１８とカバー部材１７をチャンネル部材１６から外さなければならず極めて面倒であった。
【００３６】
これに対し、本実施の形態に係る上記回収装置１９では、全長を洗浄する場合でもカバー部材５を一つだけ外すのみで済む。すなわち、まず、カバー部材５を一つだけ外してチャンネル部材４の開口した個所の内部を洗浄する。なお、洗浄方法は自由である。
【００３７】
そして、その洗浄が終了したら隣のカバー部材５を開口した個所までスライドさせて位置をずらし、新たに開口した個所の内部を再び洗浄する。
【００３８】
以後、上記のように、上記カバー部材５をスライドさせて位置をずらしながら、新たに開口した個所を洗浄するという作業を繰り返すことによって上記回収装置１９の全長を洗浄することができる。したがって、上記カバー部材５は一つだけ外すのみで済む。
【００３９】
次に、図４乃至図６に示した実施の形態について説明する。本実施の形態に係る回収装置２６は、図４に示すように、玉箱などを置くためにパチンコ台やスロットマシンなどの遊技機１の前に設けた取付部材２を形成する台２３の下側に取り付けられている。なお、この台２３の上面側には灰皿３が一体的に設けられ、その灰皿３は台２３の下側に開口して、灰皿３に入れた吸殻等が台２３の下に落下可能となっている。
【００４０】
そして、上記回収装置２６は、台２３の下面側に取り付けられるチャンネル部材２７と、そのチャンネル部材２７に対し着脱自在なカバー部材２８とを具えている。１本のチャンネル部材２７の長さは４ｍ程度で、又、カバー部材２８は２ｍ程度であり、図６に示すように、共に複数本を横方向に並べて連続させた状態で使用されている。なお、チャンネル部材２７とカバー部材２８はアルミ等の金属で成形されている。
【００４１】
上記チャンネル部材２７は、吸殻等を運ぶためのベルト等のコンベヤ６を収容する内部スペース２９を有するとともに、その内部スペース２９は、側方、すなわち、遊技者の位置する前方に向って開口部３０を設けている。また、上記内部スペース２９にはコンベヤ６の往路用のガイド板部３１が設けられ、そのガイド板部３１によりコンベヤ６の往路と復路が上下に仕切られている。なお、コンベヤ６の復路用のガイド板部３２は上記カバー部材２８に設けられている。また、上記チャンネル部材２７の天板部３３において上記の灰皿３と対応する位置には、灰皿３と開通する吸殻等落下孔（図は省略）が設けられている。
【００４２】
上記カバー部材２８は上記チャンネル部材２７に対し、その開口部３０を覆うように装着されている。カバー部材２８は、その幅方向の両端、すなわち前後方向の両端にそれぞれ上記チャンネル部材２７に対し係合可能なフック部３４，３５が設けられている。これに対し上記チャンネル部材２７にはその幅方向の両端にそれぞれフック受部３６，３７が設けられている。そして、フック部３４，３５はフック受部３６，３７に係合した状態で長手方向、すなわち横方向（図４の図面に直角な方向）にスライドしうるようになっている。なお、本実施の形態に係る上記フック部３４は外向きに形成されるとともに、上記フック受部３６は内向きに形成されている。
【００４３】
上記チャンネル部材２７は、図６に示すように、複数本を横方向に並べて取付部材２の下面側にビス等で固着して取り付けられているが、上記カバー部材２８も複数本を横方向に並べて上記チャンネル部材２７に組み付けられている。
【００４４】
なお、上記回収装置２６の一端にはコンベヤ６を駆動するモータ（図は省略）等が配され、上記回収装置２６の他端には吸殻等回収ボックス（図は省略）が設置されている。すなわち、灰皿３に入れた吸殻等は、その灰皿３から上記チャンネル部材２７の中に落下してコンベヤ６の上に載り、そのコンベヤ６により吸殻等回収ボックスへ送られる。
【００４５】
上記回収装置２６を長期間使用すると、上記チャンネル部材２７の内部にタバコの臭いやヤニが付着するので定期的に洗浄する必要がある。そして、洗浄するには上記チャンネル部材２７からカバー部材２８を外して、上記チャンネル部材２７の開口部３０を開く必要がある。その場合、上記チャンネル部材２７の全長を洗浄する場合でも、上記カバー部材２８は一つだけ外すのみでよい。すなわち、まず、上記カバー部材５を一つだけ外して上記チャンネル部材２７の開口した個所の内部を洗浄する。なお、洗浄方法は自由である。そして、その洗浄が終了したら隣のカバー部材２８を開口した個所までスライドさせて位置をずらし、新たに開口した個所の内部を再び洗浄する。以後、このようにカバー部材２８をスライドさせて位置をずらしながら新たに開口した個所を洗浄するという作業を繰り返すことによって上記チャンネル部材２７の全長を洗浄することができ、上記カバー部材２８は一つだけ外すのみで済む。
【００４６】
【発明の効果】
請求項１に記載された本発明の回収装置は、そのチャンネル部材の内部を全長にわたって洗浄する場合に、従来の装置のように全てのカバー部材を外す必要がなく、カバー部材を１つだけ外して残りのカバー部材は順次スライドさせていけばよいので、洗浄作業の煩雑がなく、かつ、洗浄作業を能率アップすることができる。
請求項２に記載された本発明の回収装置は、カバー部材の幅方向の両端部を上記チャンネル部材に対し係合しうるように形成されているので、２点だけを係合させるだけでチャンネル部材に対しカバー部材を容易に取付けることができる。そして、その取付けは、まず、カバー部材後端部のフック部をチャンネル部材のフック受部に係合させてから、その係合部を支点としてカバー部材を前方から上方へ回転させて、その前端部のフック部をチャンネル部材のフック受部に係合させることによって容易になすことができる。また、カバー部材をチャンネル部材から取り外す場合も、上記の操作を逆に行なえばよいので容易である。また、チャンネル部材は側方に開口部を形成されているので、内部を洗浄しやすい。
請求項３に記載された本発明の回収装置は、チャンネル部材のフック受部が幅方向外向きに形成されるとともに、カバー部材のフック部が幅方向内向きに形成されているので、フック受部にフック部が係合する状態を目視により確認しやすく、係合操作及び係合解除操作がしやすい。また、特にカバー部材の後端部で、そのカバー部材を上方へ変位しにくい構造にしやすくなり、イタズラによりカバー部材が安易に外されるのを防止することができる。
請求項４に記載された本発明の回収装置は、上記フック部と上記フック受部はともに断面略円形状に形成されているので、上記チャンネル部材に対し上記カバー部材がスライドしやすくなるとともに、上記の取り付け時及び取り外し時におけるカバー部材の回転もスムースにできる。
【図面の簡単な説明】
【図１】チャンネル部材にカバー部材が組み付けられた状態の断面図である。
【図２】チャンネル部材とカバー部材が分離した状態の断面図である。
【図３】遊技機の前の台の下側にチャンネル部材が取付けられた状態の正面図である。
【図４】チャンネル部材にカバー部材が組み付けられた状態の断面図である。
【図５】チャンネル部材とカバー部材が分離した状態の断面図である。
【図６】遊技機の前の台の下側にチャンネル部材が取付けられた状態の正面図である。
【図７】従来例の断面図である。
【符号の説明】
１　遊技機
２　取付部材
３　灰皿
４　チャンネル部材
５　カバー部材
６　コンベヤ
７　内部スペース
８　開口部
９　ガイド板部
１０　ガイド板部
１１　天板部
１２　フック部
１３　フック部
１４　フック受部
１５　フック受部
１６　チャンネル部材
１７　カバー部材
１８　押え止め部材
１９　回収装置
２０　側面部
２１　底面部
２２　回収装置
２３　台
２４　内側面部
２５　内側面部
２６　回収装置
２７　チャンネル部材
２８　カバー部材
２９　内部スペース
３０　開口部
３１　ガイド板部
３２　ガイド板部
３３　天板部
３４　フック部
３５　フック部
３６　フック受部
３７　フック受部
３８　下向き傾斜面
３９　上向き傾斜面
【図１】
2004065925.tif 000003
【図２】
2004065925.tif 000004
【図３】
2004065925.tif 000005
【図４】
2004065925.tif 000006
【図５】
2004065925.tif 000007
【図６】
2004065925.tif 000008
【図７】
2004065925.tif 000009